(57)【特許請求の範囲】
【請求項１】
引き揃えの状態で給糸された複数本の糸により、足部及び足首部を編成された靴下において、前記複数本の編糸の内、適宜本数の編糸を除いてふくらはぎ部を編成し、ふくらはぎ部分，足首部，土踏まず部の適宜間隔を置いたコースに、ループを形成することなく弾性糸が直線状に編み込まれ、弾性糸の編込み密度を、土踏まず部，足首部，ふくらはぎ部の順に低くし、ふくらはぎ部分の緊締力を足部及び足首部の緊締力より少なくしたことを特徴とする靴下。
【発明の詳細な説明】
【０００１】
【発明の属する技術分野】
本発明は、ふくらはぎ部に対し過度の締め付けをすることなく、フィット性を保ち、使用中の靴下のずれ落ちを防止及び土踏まず部分の緊締によるマッサージ効果を発現する靴下に関する。
【０００２】
【従来の技術】
従来、ふくらはぎ部分を緊締することにより、疲労を少なくする目的でサポータなどが使用されている。また、靴下においても、ふくらはぎ部分の緊締力を増す目的で該部に弾性糸を挿入し、他部よりも強く締め付けようとするものも知られている。然し、長時間立姿勢での作業や勤務をする者はふくらはぎを緊締することにより、かえって血行の阻害を生じむくみを生ずることが多く、また、サポータはその使用時、ややもすると外観上好ましくない印象を受けることにもなった。
【０００３】
更に、ふくらはぎ部分は足首に近い径が細く、要するに下すぼまりの形状であり、該部において着用した靴下はずれ落ちが生じ易い。そのためにややもすれば該部を強く締め付けて靴下の落下を防止しようとするが、これはかえって、靴下の編地に対して下方のずれ落ちを助長する方向の分力を与えることになり、ずれ落ち防止の役には立たず、ふくらはぎの過度の締め付けとなり、前記の欠陥を助長していた。
【０００４】
【発明が解決しようとする課題】
この発明は、上記の点に鑑みて靴下のふくらはぎ部分の締め付けが過度になることにより、該部の血行を阻害し、足にむくみを生ずるようなことのない靴下を得ることを目的とする。本発明の他の目的は、ふくらはぎ部分の締め付けが過度にならず、使用中に靴下のずれ落ちの生ずることのない靴下を得ることにある。
【０００５】
【課題を解決するための手段】
本発明靴下は、引き揃えの状態で給糸された複数本の糸により、足部及び足首部を編成された靴下において、前記複数本の編糸の内、適宜本数の編糸を除いてふくらはぎ部を編成し、ふくらはぎ部分，足首部，土踏まず部の適宜間隔を置いたコースに、ループを形成することなく弾性糸が直線状に編み込まれ、弾性糸の編込み密度を、土踏まず部，足首部，ふくらはぎ部の順に低くし、ふくらはぎ部分の緊締力を足部及び足首部の緊締力より少なくしている。
【０００６】
本発明靴下は、頂部を対抗した平編ベッドの一対を有する横編機、筒状の針床を有する丸編靴下機等を用いて編成することが出来る。前記横編機を使用した場合爪先に５本の指を編成してから足部，踵部足首部，脚部（ふくらはぎ），穿口部と編成する。前記丸編靴下機を用いた場合には上記と逆の穿口部から編み始め爪先まで編成し爪先開口を閉じるのが一般である。
【０００７】
上記横編機にあっては、キャリッジの往復動につれ適宜選択され昇降する針に対し、キャリッジに従って往復動する給糸部材から給糸しているが編組織に対応し必要があれば給糸する糸種を変更するために給糸部材を変更することが行なわれている。また、所定の給糸部材をキャリッジが連行しなければ当該糸は針に給糸されない。
【０００８】
丸編機にあっては、シリンダの回転によってシリンダ外周の針溝に嵌合している針が固定位置にある針の昇降手段（カム等）に接触して昇降しているが、その針の上昇に固定位置にある給糸部材の揺動腕が振れその先端の糸ガイド部が針フックの給糸位置に編糸を案内させ、下向する針に編糸をくわえさせ給糸する。上記の揺動腕は複数設けられその揺動は適宜に選択して行うことが出来るので製品の所定コースごとの使用糸を適宜に変更することが出来る。
【０００９】
使用する糸としては、綿，毛，絹，ポリエステル，アクリル等の天然或るいは化合成繊維及びそれらの混紡糸，ポリウレタン弾性糸，天然又は人造ゴムを芯とするカバリングヤーン，ウーリー加工糸等を適宜使用する。
【００１０】
靴下においては、フィット性を高める手段として、足部の土踏まずの部分、足首部分に、弾性を発揮させるため筒状にゴム糸或いはスパンデックス糸等の強弾性糸を編み込んでいる。強弾性糸は足部から足首部を編成した編地にループを作ることなく流し編状態に挿入したもので、土ふまず部分が足首よりも強くなるように挿入コース数を多くしている。
【００１１】
【発明の実施の形態】
発明の実施の形態につき図面と共に次に説明する。
図１のＡは爪先に５本指を有する靴下で、その編成には頂部を付き合わせにした一対の平針床を用いた横編機が用いられる。図１のＢは爪先に指袋のない靴下で、丸編機で編成され爪先開口が閉じられた靴下である。
【００１２】
図１のＡに示す５本指靴下１Ａは、爪先の親指袋先端から編成される。親指袋２の指先部分の数ウエールから編始め、コースごとに次第に編巾を大きくしつつ前後のベッドで交互に編むことで丸い頭部袋体を編成し、引き続き、所定振り巾で所定コース編成し親指袋の編成を終了する。親指袋を編成した針に隣接する針を主体に人差し指袋３を、次に中指袋４，薬指袋５を親指袋１と同様に順次編成する。
【００１３】
上記３本の指袋を編成してから親指袋２を含むそれら４本の指袋の幅に対応する幅で、上記４本の指袋に続いて足部６の甲部と足底部の爪先側即ち所謂４本胴部７を適宜コース編成した後、該部７の編成を止め、小指袋８の編成に移る。小指袋８は前記各指と同様の手順で編成し、所定コース編成して小指袋８が編み終ったとき足部６を全針で編成する。この編成は編機の前後の針床の針を交互に１コースずつ用いて袋状の編地を編成することになる。
【００１４】
踵なしの靴下の場合足部６に続いて同じ針を用いて筒状に足首部９，ふくらはぎ部１０，穿口部１１まで編成する。
この間図示の例では足部６の土踏まず部分１２と足首部９には、地糸の給糸の他に強弾性糸をループを作ることなく編地内に挿入し該部の弾性を強化し使用中の靴下のずれ落ち防止及び、土踏まず部分の緊締によるマッサージ効果等を発現させている。
【００１５】
本発明靴下１Ａの編成に当っては、地編部分の編成として天然繊維，化合成繊維，、それらの混紡糸等を適宜用いているが、各部分ごとにその編地の張力を変化させている。即ち、一例として、指先から編み始め足首部９に入る前までは厚手の編地が編成出来るよう使用糸本数を高め足首部，ふくらはぎ部に至るに従って、逐次その本数を少なくし、かつ、編地の伸張力も少なくして、穿口部は適宜に編地を折り返し端部を固定している。
【００１６】
図１のＢに示す爪先に指の無い靴下１Ｂにあっては、普通には穿口部１１から編み始めふくらはぎ部１０，足首部９，足部６と一連に丸編機により筒状に編成するが、踵部１３を作る場合は足首部９の編成後、編機シリンダを（図示せず）往復回転し踵部１３を編成し足部６で再びシリンダの回転運動により爪先部１４まで筒状に編し、爪先部１４で再び往復編成によって爪先開口を作り該部をリンキング或いは縫合等して閉じることにより作られる。
【００１７】
上記非五本指の靴下にあっても、ふくらはぎ部１０，足首部９，足部６の編成においての使用糸種本数等は同数である。
【００１８】
【実施例】
指先から編成を開始する五本指靴下について以下説明する。五本指部から足部，踵部を経て足首までの編成は、編地を最も地厚とするための糸使いがされている。即ち、複数本の単糸及び又は双糸と、更に編地に膨化性を発揮させるためにウーリー糸とを引き揃え状に給糸して平編組織で編成する。使用糸は例えば２２０ｄのウーリー糸と、２０番手綿単糸２本と、２０番手綿双糸１本とを引き揃え状に給糸している。そして必要なら踵部を編成し、引き続き足首部９の編成となるが、このときに足部６より若干編地を薄くするために糸の数を減じている。即ち、単糸を１本減ずる。上記の足底から足首までの編成の途次、土踏まずの部分と足首の部分とに該部を緊締するために、弾性糸をループを形成せずコース方向に挿入している。この弾性糸は土踏まず部分においては、１コースおきに、足首部分では２コースおきに挿入することで、土踏まず部分を強く足首部をそれより若干弱く締め付けている。
【００１９】
爾後ふくらはぎ部１０の編成となるが、ここで更に編成糸種を減じ、例えば単糸を本給糸から外し、双糸とウーリー糸のみで編地を編成しそこに弾性糸をループを作らずに４コースに１本あて挿入する。従って、弾性糸は、土踏まず部分が１コースおきに、足首部分が２コースおきにふくらはぎ部分が４コースおきに挿入されることになり、順次その緊締力を弱めるようにしている。ふくらはぎ部１０の編成を終った編地は適宜の組織で口編し折り返すなどして端部を固定する。
【００２０】
上記は五本指靴下の編成についてであるが、爪先にトウポケットのある図１のＢに示す靴下にあっては穿口部１１から編成を開始するが、使用糸種等は全く図１Ａに示す靴下と同数で、単に編成順が逆になるだけである。
【００２１】
【発明の効果】
本発明靴下は、踵部を含む足部，足首部，ふくらはぎ部の編成を行ってた糸を、足部を最も多くふくらはぎ部を最も少なく順次その糸数を減じると共に、該部の編地に編み込んだ弾性糸の密度も足部が最も高く、足首部，ふくらはぎ部と減じて編成しているために、足部は地厚となり、クッション性を高めかつ、吸湿性も高く足首部から上部は足首の緊締固定によるものとふくらはぎ部の編地の緩い緊締によりテーパー状のふくきらはぎによる靴下の落下ずれ落ちの発生を防止することが出来る。
更に、本発明にあっては、その編地の所用部分の緊締力を、単に、給糸する編糸の本数を減らすだけで低減させており、編成時に例えば編組織を変化させる等の手段を講ずることなく出来るため、編成上の能率を低下させることなく目的を達成し得る。
【図面の簡単な説明】
【図１】図１は本発明靴下を示すもので、Ａは平編機で編成した五本指靴下の踵なしのものを、Ｂは丸編機で編成したトウ及びヒールポケットを有する靴下のそれぞれ斜視図である。
【符号の説明】
１Ａ  五本指靴下
１Ｂ  トウポケットを有する靴下
２  親指
３  人差し指
４  中指
５  薬指
６  足部
７  ４本胴
８  小指
９  足首部
１０  ふくらはぎ部
１１  穿口部
１２  土踏まず部分
１３  踵部
１４  ヒールポケット部
【図１】
0003931299.tif 000002